(57)【特許請求の範囲】
【請求項１】
物体を収容する本体側に設けられ、一方向に付勢され他方向に外力によりスライドするスライドベース、
前記スライドベースに回動可能に設けられ、一方向に付勢されてストッパーに当接する回転ベース、
前記回転ベースに設けられて、前記スライドベースとともにスライドし、前記回転ベースとともに前記スライドベースのスライド方向に直交する方向に移動するロック片、
前記本体の開口部を開閉する蓋側に設けられたツメ部を有し、
前記蓋を閉じたときに、前記ツメ部と前記ロック片が係合して、前記回転ベースの回動が規制され、前記蓋を閉じた状態を維持する蓋開閉装置であって、
前記蓋を開くとき、前記スライドベースをスライドすることにより、前記ツメ部と前記ロック片との係合が解除されるとともに前記回転ベースの回動の規制が解除され、前記ロック片が前記回転ベースとともに前記スライド方向に直交する方向に移動して前記ストッパーに当接し、前記ロック片が前記ツメ部との係合位置から外れるように構成された蓋開閉装置。
【請求項２】
前記蓋を開くとき、前記スライドベースをスライドすることにより、前記ロック片が前記回転ベースとともに前記スライド方向に直交する方向に移動して、前記ロック片が前記ツメ部との係合位置から外れ、かつ前記スライドベースの付勢力により前記ロック片が前記ツメ部に当接するよう構成された請求項１に記載の蓋開閉装置。
【請求項３】
前記スライドベース上に設けられた回転ベースの回転軸を中心として、バネにより前記ロック片を前記スライドベースのスライド方向に直交する方向に移動するよう構成した請求項１又は請求項２に記載の蓋開閉装置。
【請求項４】
前記スライドベースが、前記本体に設けられたバネにより一方向に付勢するよう構成された請求項１乃至請求項３のいずれか一項に記載の蓋開閉装置。
【請求項５】
前記蓋が開かれたとき、前記スライドベースの付勢力により前記ロック片が前記ツメ部と係合可能な位置に復帰し、前記蓋が閉じられるとき、前記ロック片の斜面部が前記ツメ部の斜面部に接触して、前記ロック片が前記ツメ部と係合位置に配置されるよう構成された請求項１乃至４のいずれか一項に記載の蓋開閉装置。
【発明の詳細な説明】
【０００１】
【発明の属する技術分野】
本発明は、各種機器の筐体に用いられる蓋開閉装置に関し、特にロック解除の際にロック状態への復帰を阻止するロック解除部分に特徴を有する蓋開閉装置に関する。
【０００２】
【従来の技術】
ＣＤプレーヤーなどの蓋付き筐体に用いられる従来の蓋開閉装置について、図３の従来の蓋開閉装置のロック部分の斜視図を参照しつつ説明する。
図３において、本体６には、ツマミ３を移動させる外力により矢印Ｂに示す方向に移動することの可能なスライドベース４上に斜面部５ｂと係合部５ａとを形成したロック片５が設けられている。スライドベース４には、バネ７により常に矢印Ｈの方向に戻るような付勢力が与えられている。
蓋１側には、本体６に設けたロック片５に対向する位置に斜面部２ｂと係合部２ａとを形成したツメ部２が設けられている。蓋１は常に矢印Ａの方向に図示しないバネにより付勢力が与えられている。
【０００３】
蓋１を閉じたときに、ツメ部２に形成された斜面部２ｂがロック片５に形成された斜面部５ｂに当接し、矢印Ｈの方向に付勢されているロック片５を矢印Ｂの方向に円滑に移動させてツメ部２の係合部２ａがロック片５の係合部５ａとスムーズに係合する。
蓋１を開くときは、ツマミ３によりロック片５をバネ７でのＨ方向の付勢力に抗して矢印Ｂの方向に移動させることにより、蓋１のツメ部２とロック片５との係合が解除され、蓋１に与えられている付勢力により蓋１が矢印Ａの方向に開くようになっていた。
【０００４】
【発明が解決しようとする課題】
従来の蓋開閉装置では、蓋を開くときに、ロック片５をスライドさせ、ロック片５と蓋のツメ部２との係合を解除した際に、蓋上に乗っている書類などの重さが蓋を押さえるなどの外力が加わっていた場合には、再びロック片５とツメ部２とが係合して蓋が開かない状態となってしまう。これは、ロック片５をスライドさせる外力が取り除かれると、ロック片５はスライドベースに与えられている付勢力により矢印Ｈの方向に復帰してしまい、この場合蓋が閉じているので再び蓋のツメ部と係合するためである。その結果、蓋を押さえるなどの外力を取り除いても、蓋が開かずロック状態となってしまうという問題があった。
【０００５】
本発明の目的は、一旦ツメ部とロック片とを離間させてロック状態を解除すれば、蓋が何らかの力を受けたりして開いていなくても、ロックの解除状態を維持することのできる蓋開閉装置を提供することにある。
【０００６】
【課題を解決するための手段】
前記課題を解決するために、本発明に係る第１の観点の蓋開閉装置は、物体を収容する本体側に設けられ、一方向に付勢され他方向に外力によりスライドするスライドベース、
前記スライドベースに回動可能に設けられ、一方向に付勢されてストッパーに当接する回転ベース、
前記回転ベースに設けられて、前記スライドベースとともにスライドし、前記回転ベースとともに前記スライドベースのスライド方向に直交する方向に移動するロック片、
前記本体の開口部を開閉する蓋側に設けられたツメ部を有し、
前記蓋を閉じたときに、前記ツメ部と前記ロック片が係合して、前記回転ベースの回動が規制され、前記蓋を閉じた状態を維持する蓋開閉装置であって、
前記蓋を開くとき、前記スライドベースをスライドすることにより、前記ツメ部と前記ロック片との係合が解除されるとともに前記回転ベースの回動の規制が解除され、前記ロック片が前記回転ベースとともに前記スライド方向に直交する方向に移動して前記ストッパーに当接し、前記ロック片が前記ツメ部との係合位置から外れるように構成されている。
【０００７】
上記のように構成された第１の観点の蓋開閉装置によれば、一旦ロックを解除すると、ロック片のツメ部との係合部がスライド方向と異なる方向に移動することにより、蓋が開いていない状態でもロック片の係合部をツメ部の係合部から離間することができる。その結果、一旦ロックを解除すれば蓋の開閉状態に関係なく、蓋を確実に開くことができる。
【０００８】
本発明に係る第２の観点の蓋開閉装置は、前記の第１の観点において前記蓋を開くとき、前記スライドベースをスライドすることにより、前記ロック片が前記回転ベースとともに前記スライド方向に直交する方向に移動して、前記ロック片が前記ツメ部との係合位置から外れ、かつ前記スライドベースの付勢力により前記ロック片が前記ツメ部に当接するよう構成されている。
【０００９】
上記のように構成された第２の観点の蓋開閉装置によれば、一旦ロックを解除すると、蓋が開いていない場合にも、ロック片の側端面がツメ部の側端面と当接するため、ロック片がツメ部と係合する位置に戻らず、蓋が開くまでその状態を保持する。また、蓋が通常に開いた際には、蓋のツメ部が係合位置に存在しないため、ロック片は原位置に戻り、蓋を閉めれば蓋のツメ部によりロック片を移動させて係合することができる。
【００１０】
本発明に係る第３の観点の蓋開閉装置は、前記の第１の観点又は第２の観点において、前記スライドベース上に設けられた回転ベースの回転軸を中心として、バネにより前記ロック片を前記スライドベースのスライド方向に直交する方向に移動するよう構成している。
また、本発明に係る第４の観点による蓋開閉装置は、前記の第１の観点乃至第３の観点において、前記スライドベースが、前記本体に設けられたバネにより一方向に付勢するよう構成されている。
さらに、本発明に係る第５の観点による蓋開閉装置は、前記の第１の観点乃至第４の観点において、前記蓋が開かれたとき、前記スライドベースの付勢力により前記ロック片が前記ツメ部と係合可能な位置に復帰し、前記蓋が閉じられるとき、前記ロック片の斜面部が前記ツメ部の斜面部に接触して、前記ロック片が前記ツメ部と係合位置に配置されるよう構成されている。
【００１１】
上記のように構成された第３の観点乃至第５の観点の蓋開閉装置によれば、一旦ロックを解除すると、ロック片のツメ部との係合部が移動することにより、蓋が開いていない状態でもロック片の係合部をツメ部の係合部から離間することができる。その結果、一旦ロックを解除すれば蓋の開閉状態に関係なく、蓋を確実に開くことができる。
【００１２】
【発明の実施の形態】
以下、本発明の好適な実施例の蓋開閉装置について添付の図面を参照しつつ説明する。
【００１３】
《実施例》
図１は、本実施例の蓋開閉装置のロック部分の斜視図である。
図１において、本体６には、ツマミ３を移動させる外力により矢印Ｂに示す方向に移動することの可能なスライドベース４上に斜面部５ｂと係合部５ａとを形成したロック片５が設けられている。ロック片５は、バネ５ｄにより矢印Ｄの方向に付勢されており、スライドベース４に設けられた回動軸５ｃを中心として矢印Ｃの方向に回動する。
ロック解除用のツマミ３は、スライドベース４と一体もしくは連動するように構成されており、ツマミ３により矢印Ｂの方向へ移動し、かつバネ７によりスライドベース４は常に矢印Ｈの方向へ付勢されている。
蓋１側には、本体６に設けたロック片５の斜面部５ｂ及び係合部５ａに対向する位置にそれぞれツメ部２の斜面部２ｂと係合部２ａとを形成したツメ部２が設けられている。上記斜面部５ｂは前記ツマミ３をバネ７に抗して矢印Ｂの方向に押してスライドベース４をその方向に動かす方向に陵をもち、ツメ部２の押し上げにより斜面２ｂを押し下げると図の矢印Ｃの方向に押される。蓋１は常に矢印Ａの方向に押し上げられるよう、図示しないバネにより付勢力が与えられている。
【００１４】
蓋１を矢印Ｉに示すように閉じるときに、ツメ部２に形成された斜面部２ｂがロック片５に形成された斜面部５ｂに当接し、矢印Ｄの方向に付勢されているロック片５を矢印Ｃの方向に円滑に押して移動させる。蓋１が完全に閉じると、ツメ部２の係合部２ａがロック片５の係合部５ａとスムースに係合する。
蓋１を開くときは、ツマミ３を矢印Ｇ（右）の方に押すことによりロック片５を矢印Ｂの方向に移動させる。それにより、蓋１のツメ部２の係合部２ａに係合していたロック片５の係合部５ａが矢印Ｂの方向に逃げ、係合部２ａとロック片５との係合が解除される。その係合解除とともにロック片５はバネ５ｄの付勢力によって矢印Ｂ、Ｈで示したロック片５のスライド方向とは略直角をなす矢印Ｄで示した別の方向に動く。その動きは回動ベース５ｅがスライドベース４上のストッパー５ｆに当たるところで止まる。蓋１は図示を略したバネ等により与えられている付勢力により矢印Ａの方向に開く。
【００１５】
図２の（ａ）に示すように、蓋を閉じた状態では、蓋側のツメ部２の係合部２ａと本体側のロック片５の係合部５ａとが噛み合ってロック状態を維持している。そして、図１において、ツマミ３を矢印Ｇの方向に移動することによりロック片５が矢印Ｂの方に進むためロック片５の係合部５ａへのツメ部２の係合が解除される。したがって蓋１は図示を省略したバネによる矢印Ａの方向（上方）への付勢力によりＡ方向に開く。
【００１６】
このとき、蓋１上に重さがあるものが乗っているなど、蓋１が矢印Ａの方向に開くのを阻止する方向Ｉの力が加わっていた場合を考える。ロック片５がＢ方向に進むため、ロック片５とツメ部２との係合がさきに解除された時点で、ロック片５はバネ５ｄによる付勢力で矢印Ｂで示したロック片５のスライド方向とは略直角の矢印Ｄの方向に回動している。そのため、ツメ部２の垂直の面Ｅは、ロック片５の垂直の面Ｆにゆるく当接する。蓋１にＡ方向に開くのを阻止する力が加わっている間は、バネ７によりスライドベース４から回動軸５ｃとそれに軸着された回動ベース５ｅを介して与えられる矢印Ｈ方向の力を、ロック片５の面からツメ部２の面Ｅに対して与える。この様子は図２の（ｂ）に拡大して示したところからよく分かる。
【００１７】
そのため、ツマミ３、スライドベース４、ロック片５が図２の（ａ）の元の係合位置に移動するのが阻止され、蓋１を下へ押していた妨害力が除かれて蓋１が矢印Ａの方向に開くまで、図２の（ｂ）の形で維持されているロックは解除状態を保持することになる。ここで蓋１に加えられていた蓋を開くのを阻止する力が除かれれば、蓋１を確実に開くことができる。蓋１が開いた際には、ロック片５の面Ｆとツメ部２の面Ｅとが離れるためツマミ３、スライドベース４、ロック片５は係合位置まで戻る。
【００１８】
この実施例では、蓋１側にツメ部２を、本体６側にロック片５をそれぞれ設けた構成とした。これとは逆に蓋１側にロック片を、本体６側にツメ部２をそれぞれ設けた蓋開閉装置においた構成としても同様な効果が得られる。
【００１９】
【発明の効果】
以上実施例で詳細に説明したように、本発明の蓋開閉装置によれば、蓋に何らかの蓋を開くのを妨害する方向Ｉの外力が加わっていても、一旦ツマミ３の操作により行った、蓋のツメ部と本体側のロック片との係合の解除状態を保持することができる。その結果、蓋に加えられていた外力が除かれると、確実に蓋を開くことができる。
【図面の簡単な説明】
【図１】本発明の実施例の蓋開閉装置のロック部分の斜視図
【図２】（ａ）本発明の実施例の蓋開閉装置におけるロック状態の係合部分の斜視図
（ｂ）本発明の実施例の蓋開閉装置におけるロック解除状態の係合部分の斜視図
【図３】従来の蓋開閉装置のロック部分の斜視図
【符号の説明】
１  蓋
２  ツメ部
２ａ係合部
２ｂ斜面部
３  ツマミ
４  スライドベース
５  ロック片
５ａ係合部
５ｂ斜面部
５ｃ回動軸
５ｄバネ
６  本体
７  バネ
【図１】
0004627875.tif 000002
【図２】
0004627875.tif 000003
【図３】
0004627875.tif 000004